(57)【要約】【課題】各種店舗に陳列・展示されている商品の万引き・盗難などを防止する目的で、商品に取り付ける盗難防止用のセンサータグであって、当該タグが取り付けられている商品の価格を商品購入者が視認可能なプライス表示付きセンサータグを提供する。【解決手段】外周壁にプライスカードを装脱可能なプライスカード収容部を備えている盗難防止用のセンサータグであって、当該プライスカード収容部は、前記プライスカードが装入された際に前記プライスカードの周縁部を前記プライスカードの表面側から覆う外周枠部と、当該外周枠部に囲まれて前記プライスカードの表面に形成されている金額表示面を外部から視認可能に開口している開口部とを備えている。【選択図】図１
0003150114.tif 000002
【実用新案登録請求の範囲】
【請求項１】
外周壁にプライスカードを装脱可能なプライスカード収容部を備えている盗難防止用のセンサータグであって、
当該プライスカード収容部は、前記プライスカードが装入された際に前記プライスカードの周縁部を前記プライスカードの表面側から覆う外周枠部と、
当該外周枠部に囲まれて前記プライスカードの表面に形成されている金額表示面を外部から視認可能に開口している開口部と
を備えていることを特徴とするプライス表示付きセンサータグ。
【請求項２】
前記外周枠部は前記外周壁との間に前記プライスカードが装脱されるスリットを備えていることを特徴とする請求項１記載のプライス表示付きセンサータグ。
【考案の詳細な説明】
【技術分野】
【０００１】
この考案は店舗、売り場などに展示・販売されている商品に盗難防止などの目的で取り付けられるセンサータグに関し、特に、当該センサータグが取り付けられている商品の価格（プライス）を商品購入者が視認可能なセンサータグに関する。
【背景技術】
【０００２】
従来から各種店舗に陳列・展示されている商品の万引き・盗難などを防止する目的で、商品に取り付ける盗難防止タグが種々提案されている。例えば、取り付けられている商品から不正に取り外されると警報ブザーを発するものである（特許文献１）。
【０００３】
また、近年は、電磁波を利用したＲＦ−ＩＤ（無線周波数識別：Ｒａｄｉｏ  Ｆｒｅｑｕｅｎｃｙ−Ｉｄｅｎｔｉｆｉｃａｔｉｏｎ）タグを利用して、タグが取り付けられている商品が不正に店舗から持ち出されようとすると警報を発するシステムなども提案されている。
【０００４】
このような従来の盗難防止タグはプライス表示機能を備えていないものが一般的であった。
【０００５】
ＲＦ−ＩＤタグに関してはＲＦ−ＩＤタグを搭載した商品値札の提案がされているが（特許文献２）、これは紙基材やプラスチックフィルムに印刷機を用いて必要な情報を印刷するもので、店舗などにおいて商品に取り付けて使用される盗難防止タグに関するものではなかった。
【先行技術文献】
【特許文献】
【０００６】
【特許文献１】特開２００８−２９３２５７号公報
【特許文献２】特開２００８−２１０２３１号公報
【考案の概要】
【考案が解決しようとする課題】
【０００７】
この考案は、各種店舗に陳列・展示されている商品の万引き・盗難などを防止する目的で商品に取り付ける盗難防止用のセンサータグであって、当該タグが取り付けられている商品の価格を商品購入者が視認可能なプライス表示付きセンサータグを提供することを目的にしている。
【０００８】
また、このようなプライス表示付きセンサータグであって、プライス表示の交換を簡単に行うことができ、当該タグを他の商品に取り付けて使用する場合にプライス表示を簡単に変更することや、同一の商品にタグを付けたままにしておきながらプライス表示のみを通常の販売時とバーゲンセールなどのセール時で簡単に変更できるプライス表示付きセンサータグを提供することを目的にしている。
【課題を解決するための手段】
【０００９】
前記目的を達成する本願の請求項１記載の考案は、
外周壁にプライスカードを装脱可能なプライスカード収容部を備えている盗難防止用のセンサータグであって、
当該プライスカード収容部は、前記プライスカードが装入された際に前記プライスカードの周縁部を前記プライスカードの表面側から覆う外周枠部と、
当該外周枠部に囲まれて前記プライスカードの表面に形成されている金額表示面を外部から視認可能に開口している開口部と
を備えていることを特徴とするプライス表示付きセンサータグ
である。
【００１０】
請求項２記載の考案は、
前記外周枠部は前記外周壁との間に前記プライスカードが装脱されるスリットを備えていることを特徴とする請求項１記載のプライス表示付きセンサータグ
である。
【考案の効果】
【００１１】
この考案によれば、各種店舗に陳列・展示されている商品の万引き・盗難などを防止する目的で商品に取り付ける盗難防止用のセンサータグであって、当該タグが取り付けられている商品の価格を商品購入者が視認できるプライス表示付きセンサータグを提供することができる。
【００１２】
この考案のプライス表示付きセンサータグによればプライス表示の交換を簡単に行うことができる。そこで、プライス表示付きセンサータグを他の商品に取り付けて使用する場合にプライス表示を簡単に変更することや、同一の商品にタグを付けたままにしておきながらプライス表示のみを通常の販売時とバーゲンセールなどのセール時に簡単に変更することが可能になる。
【００１３】
従来、店舗などにおいては、高級ハンドバックなどの高品位商品にはプライスカードによる価格表示がされていなかったり、値札などのプライスカードが付けられているにもかかわらず商品の内部（例えば、ポケットの中）などに入り込んでいてお客様が商品の価格を確認しづらい、というような問題があった。しかし、この考案によれば、盗難防止用に商品に取り付けられているセンサータグの外側表面に当該商品の価格を表示するプライスカードがお客様に見やすいように付されているので、従来生じていたような前述した不便がなくなり、お客様が不便を感じるおそれを少なくすることができる。
【図面の簡単な説明】
【００１４】
【図１】（ａ）はプライスカードが装入される前の本考案のプライス表示付きセンサータグの一例を表わす斜視図、（ｂ）はプライスカードが装入された状態の本考案のプライス表示付きセンサータグの一例を表わす斜視図。
【図２】（ａ）は図１（ａ）のＡ−Ａ端面を説明する図、（ｂ）は図１（ａ）のＢ−Ｂ端面を説明する図
【考案を実施するための形態】
【００１５】
以下、添付図面を参照して本考案のプライス表示付きセンサータグ１の一例を説明する。
【００１６】
この考案のプライス表示付きセンサータグ１はその外周壁７にプライスカード２を装脱可能なプライスカード収容部３を備えている。
【００１７】
プライスカード収容部３は、外周枠部と開口部９（図１（ａ））とを備えている。
【００１８】
外周枠部は、プライスカード２が図１（ｂ）図示のようにプライスカード収容部３に装入された際に、プライスカード２の周縁部をプライスカード２の表面側（図１中、上側）から覆うものである。
【００１９】
図示の実施形態では、矩形のプライスカード２を収容することに適するように、四辺の外周枠部５ａ、５ｂ、６ａ、６ｂが配備されている。そして、この四辺の外周枠部５ａ、５ｂ、６ａ、６ｂによって、図１（ｂ）図示のようにプライスカード収容部３に装入されたプライスカード２の周縁部が、プライスカード２の表面側（図１中、上側）から覆われる。こうして、プライスカード収容部３に装入されたプライスカード２が安定的に保持される。
【００２０】
開口部９は、外周枠部５ａ、５ｂ、６ａ、６ｂに囲まれていて、図１（ｂ）図示のようにプライスカード収容部３に装入されたプライスカード２の表面に形成されている金額表示面８を外部から視認可能に開口しているものである。
【００２１】
図２（ａ）図示のように、外周枠部５ａは外周壁７との間にスリット４を備えている。このスリット４を介して、プライスカード２が図１（ａ）図示の状態から矢印Ｃのようにプライスカード収容部３に装入される。また、図１（ｂ）図示の状態から矢印Ｄのように、プライスカード２がプライスカード収容部３から抜き出される。
【００２２】
図示の実施形態では、外周枠部５ａの位置にスリット４が形成されている。これに限られることなく、例えば、外周枠部５ａの位置にはスリットが形成されておらず、外周枠部６ａの位置にスリットが形成されていて、その位置のスリットを介してプライスカード２がプライスカード収容部３に装脱されるようにすることもできる。ようするに複数辺からなる外周枠部の中の少なくとも一辺の位置にプライスカード２を装脱可能なスリットが形成されていればよい。
【００２３】
この考案のプライス表示付きセンサータグ１は従来公知の盗難防止用タグと同様にして商品の紐部などに取り付けて使用される。例えば、取り付けループ１０の先端取り付け部１１をプライス表示付きセンサータグ１の固定部１２から抜き取り、取り付けループ１０を商品の紐部などに巻きつける等した後、再度、先端取り付け部１１を固定部１２に固定して使用する。
【００２４】
なお、このようにして商品に取り付ける際、開口部９（図１（ａ））が外部から視認可能な状態で取り付けておく。
【００２５】
その後、プライス表示付きセンサータグ１を取り付けた商品の価格（プライス）が金額表示面８に印刷されているプライスカード２を、前述したように、スリット４を介してプライスカード収容部３内に装入する。
【００２６】
同一の商品に同一のプライス表示付きセンサータグ１を取り付けている場合であっても、プライスカード収容部３内に装入するプライスカード２を変更するとき、例えば、バーゲンセール期間になったので、従来のプライス（価格）よりも値下げしたプライス（価格）を従来の印字とは異なる色（例えば、赤色）で印刷してある他のプライスカードに変更するときには、図１（ｂ）中、矢印Ｄ方向にプライスカード２を抜き取り、他のプライスカードを、新たに、図１（ａ）中、矢印Ｃ方向からスリット４を介してプライスカード収容部３に装入して使用する。
【００２７】
セール期間が終了して元のプライス（価格）に戻すときには、同様にして、プライスカード収容部３に装入されるプライスカード２を変更する。
【００２８】
また、店舗に陳列・販売する商品を変更するので、プライス表示付きセンサータグ１によって表示されるプライスを変更する必要があるときにも、同様にして、プライスカード収容部３に装入されるプライスカード２を変更することによって、簡単にプライス表示変更を行なうことができる。
【００２９】
以上、添付図面を参照して本考案の好ましい実施形態を説明したが、本考案は係る実施形態に限定されるものではなく、実用新案登録請求の範囲の記載から把握される技術的範囲において種々の形態に変更可能である。
【符号の説明】
【００３０】
１  プライス表示付きセンサータグ
２  プライスカード
３  プライスカード収容部
４  スリット
５ａ、５ｂ、６ａ、６ｂ  プライスカード収容部の外周枠部
７  プライス表示付きセンサータグの外周壁
８  プライスカードの金額表示面
９  プライスカード収容部の開口部
【図１】
0003150114.tif 000003
【図２】
0003150114.tif 000004